(57)【要約】【課題】かつらベース及びかつらにおいて、ベース片のうち他のベース片と接する周縁が浮き上がるのを防止する。【解決手段】かつらベースは、第１のベース片１０と、この第１のベース片１０と着脱自在に連結される第２のベース片２０とを備え、第１のベース片１０及び第２のベース片２０のうち少なくとも一方は、他方と接する周縁に配置され当該周縁の浮き上がりを防止するための浮き上がり防止部材（レース部材１２，形状保持部材２４）を有する。【選択図】図６
2018154933.tif 000002
【特許請求の範囲】
【請求項１】
第１のベース片と、
前記第１のベース片と着脱自在に連結される第２のベース片とを備え、
前記第１のベース片及び前記第２のベース片のうち少なくとも一方は、他方と接する周縁に配置され当該周縁の浮き上がりを防止する浮き上がり防止部材を有する、
ことを特徴とするかつらベース。
【請求項２】
前記浮き上がり防止部材は、前記周縁に沿って配置され塑性変形可能で形状保持性を有する形状保持部材であることを特徴とする請求項１記載のかつらベース。
【請求項３】
前記第２のベース片は、前記第１のベース片の少なくとも一部を挟み込むように配置され、
前記形状保持部材は、前記第２のベース片に配置されている、
ことを特徴とする請求項２記載のかつらベース。
【請求項４】
前記浮き上がり防止部材は、前記周縁に沿って配置され当該周縁から凹凸形状に突出する帯状部材であることを特徴とする請求項１記載のかつらベース。
【請求項５】
請求項１から４のいずれか１項記載のかつらベースと、
前記第１のベース片及び前記第２のベース片に植毛された毛髪と、
を備えることを特徴とするかつら。
【発明の詳細な説明】
【技術分野】
【０００１】
本発明は、かつらベース、及び、このかつらベースと毛髪とを備えるかつらに関する。
【背景技術】
【０００２】
従来、複数のベース片が着脱自在に連結されるかつらベースが提案されている（例えば、特許文献１参照）。このかつらベースによれば、連結されるベース片の数を調整することで、かつらベースのサイズを調整することができる。
【先行技術文献】
【特許文献】
【０００３】
【特許文献１】特開平７−３１０２１７号公報
【発明の概要】
【発明が解決しようとする課題】
【０００４】
ところで、かつらベースは、通常、ネットベースや、合成樹脂からなる薄い人工皮膚ベースなどであるため、特にかつら装着者の頭部に装着される前は、形状が安定しない。この形状の不安定さは、かつらベースを構成するベース片についても同様である。そのため、ベース片は、周縁が浮き上がりやすいことで、他のベース片との連結作業が困難になる場合がある。また、ベース片の連結後であっても、ベース片の周縁が浮き上がると、ベース片間の連結部分の露出、ベース片に植毛された毛髪の位置ズレなどによって、かつらの外観が損なわれることになる。
【０００５】
本発明の目的は、ベース片のうち他のベース片と接する周縁が浮き上がるのを防止することができるかつらベース及びかつらを提供することである。
【課題を解決するための手段】
【０００６】
１つの観点では、かつらベースは、第１のベース片と、前記第１のベース片と着脱自在に連結される第２のベース片とを備え、前記第１のベース片及び前記第２のベース片のうち少なくとも一方は、他方と接する周縁に配置され当該周縁の浮き上がりを防止する浮き上がり防止部材を有する。
【０００７】
また、前記かつらにおいて、前記浮き上がり防止部材は、前記周縁に沿って配置され塑性変形可能で形状保持性を有する形状保持部材であるとよい。
また、前記かつらにおいて、前記第２のベース片は、前記第１のベース片の少なくとも一部を挟み込むように配置され、前記形状保持部材は、前記第２のベース片に配置されているとよい。
【０００８】
また、前記かつらにおいて、前記浮き上がり防止部材は、前記周縁に沿って配置され当該周縁から凹凸形状に突出する帯状部材であるとよい。
別の１つの観点では、かつらは、前記かつらベースと、前記第１のベース片及び前記第２のベース片に植毛された毛髪と、を備える。
【発明の効果】
【０００９】
本発明によれば、ベース片のうち他のベース片と接する周縁が浮き上がるのを防止することができる。
【図面の簡単な説明】
【００１０】
【図１】本発明の一実施の形態に係るかつらベースを示す底面図である。
【図２】本発明の一実施の形態における第１のベース片を示す底面図である。
【図３】図２のＡ部拡大図である。
【図４】本発明の一実施の形態における第２のベース片を示す底面図である。
【図５】本発明の一実施の形態における第２のベース片の一部を示す底面側斜視図である。
【図６】本発明の一実施の形態における第１のベース片及び第２のベース片の一部を示す底面図である。
【図７】本発明の一実施の形態に係るかつらベースの使用状態を説明するための模式的な底面図である。
【図８】本発明の一実施の形態に係るかつらを示す背面図である。
【発明を実施するための形態】
【００１１】
以下、本発明の一実施の形態に係るかつらベース及びかつらについて、図面を参照しながら説明する。
図１は、一実施の形態に係るかつらベース１を示す底面図である。
【００１２】
図２は、本実施の形態における第１のベース片１０を示す底面図であり、図３は、図２のＡ部拡大図である。
図４は、本実施の形態における第２のベース片２０を示す底面図であり、図５は、第２のベース片２０の一部を示す底面側斜視図である。
【００１３】
図６は、第１のベース片１０及び第２のベース片２０の一部を示す底面図である。
図１に示すように、かつらベース１は、着脱自在に連結される複数のベース片として、第１のベース片１０と、この第１のベース片１０の周囲に配置される弓形の第２のベース片２０とを備える。第２のベース片２０は、弓形を呈することで、第１のベース片１０の少なくとも一部を挟み込むように配置されている。なお、ベース片の個数や形状や位置は特に制限されない。例えば、かつらベース１は、使用状態によっては、単一のベース片のみを備えてもよいし、図７（かつらベース１の模式的な底面図）に示すように、さらに、例えば弓形の第３のベース片４０及び第４のベース片５０が第２のベース片２０の外側に配置されるなど、３つ以上のベース片が着脱自在に連結されていてもよい。かつらベース１は、連結されるベース片の数が調整されることで、厚み方向とは異なる方向にサイズが調整可能である。
【００１４】
図２及び図３に示すように、第１のベース片１０は、ベース本体１１と、浮き上がり防止部材（帯状部材）の一例であるレース部材１２と、連結部材の一例である例えば６つのスナップボタン１３と、生え際部１４と、を有する。
【００１５】
ベース本体１１は、網目状を呈し、図３に示すように例えば折り返すことで形成される周縁部１１ａを含む。なお、ベース本体１１は、例えば合成樹脂からなる人工皮膚など、網目がないものであってもよい。
【００１６】
図３及び図６に示すように、レース部材１２は、第１のベース片１０のうち第２のベース片２０と接する周縁に配置され、この周縁の浮き上がりを防止する。なお、このように浮き上がりを防止するためには、レース部材１２や後述する形状保持部材（帯状部材）２４を例として挙げる浮き上がり防止部材は、例えば、レース部材１２のようにベース本体１１の周縁から凹凸形状に突出する部材であるか、或いは、形状保持部材２４のようにベース本体２１よりも剛性が高い部材であることが望ましい。なお、かつらベース１は、レース部材１２及び形状保持部材２４の両方を備えるが、一方のみを備えていてもよい。また、ベース本体２１よりも剛性が高い浮き上がり防止部材としては、一例ではあるが、ベース本体２１の周縁から突出しないポリウレタン等の合成樹脂材料からなるシート状の部材であってもよい。このように合成樹脂材料からなる浮き上がり防止部材は、例えば、ベース本体２１の周縁に縫い付けられることで、或いは、ベース本体２１の周縁に液状の合成樹脂材料を塗布した後に乾燥させることで、形成することができる。
【００１７】
レース部材１２は、レース本体１２ａと、レース支持部１２ｂと、を含み、第１のベース片１０の周縁に沿う帯状を呈する。そのため、レース部材１２は、第１のベース片１０の周縁に沿って連続的に配置されているともいえる。
【００１８】
レース本体１２ａは、糸で模様が編み込まれたものであり、周縁部１１ａの上面又は底面に固定されレース本体１２ａを支持するレース支持部１２ｂから、第１のベース片１０の外側に突出する。また、レース部材１２は、かつらベース１の前頭部に相当する生え際部１４を除く第１のベース片１０の周縁に沿って連続的に配置されている。
【００１９】
スナップボタン１３は、後述する図４〜図６に示す第２のベース片２０のスナップボタン２３と係合する。なお、スナップボタン１３は、レース支持部１２ｂの底面側に設けられており、スナップボタン２３は、第２のベース片２０の正面側に設けられている。そのため、第１のベース片１０は、第２のベース片２０と連結された状態において、周縁が第２のベース片２０の上側に位置する。
【００２０】
なお、本実施の形態では、連結部材の一例としてスナップボタン１３，２３を挙げているが、連結部材としては、第１のベース片１０と第２のベース片２０とを着脱自在に連結可能なものであればよく、例えば、面ファスナー、剥離及び再接合が可能な接合材、引っ掛けや嵌め合いにより係合を行う部材などの他の連結部材が用いられてもよい。
【００２１】
生え際部１４は、例えば網目状を呈し、周縁部１１ａからベース本体１１の前方に凹凸形状に突出する。なお、生え際部１４は、帯状を呈し、周縁部１１ａから凹凸形状に突出するが、第１のベース片１０のうち第２のベース片２０と接する周縁には配置されないため、レース部材１２を一例とする上記の帯状部材とは異なる。
【００２２】
図４及び図５に示すように、第２のベース片２０は、ベース本体２１と、レース部材２２と、連結部材の一例である例えば６つのスナップボタン２３と、浮き上がり防止部材の他の一例である形状保持部材２４と、を有する。
【００２３】
ベース本体２１は、網目状を呈し、図５に示すように例えば折り返すことで形成される周縁部２１ａを含む。なお、ベース本体２１は、例えば合成樹脂からなる人工皮膚など、網目がないものであってもよい。
【００２４】
図４〜図６に示すように、レース部材２２は、第１のベース片１０のレース部材１２と同様に、レース本体２２ａと、レース支持部２２ｂと、を含む。レース本体２２ａは、糸で模様が編み込まれたものであり、周縁部２１ａの上面又は底面に固定されレース本体２２ａを支持するレース支持部２２ｂから、第２のベース片２０の外側に突出する。
【００２５】
なお、レース部材２２は、かつらベース１の外側となる周縁に沿って連続的に配置されているが、第２のベース片２０のうち第１のベース片１０と接する周縁には配置されていないため、レース部材１２とは異なり、浮き上がり防止部材（帯状部材）の一例として機能しない。但し、図７に示すかつらベース２のように、第２のベース片２０の外側に第３のベース片４０が配置される場合には、レース部材２２は、他のベース片である第３のベース片４０と接する周縁に配置されることで、浮き上がり防止部材（帯状部材）の一例として機能する。
【００２６】
スナップボタン２３は、上述の第１のベース片１０のスナップボタン１３と係合する。スナップボタン２３は、第２のベース片２０の内側の周縁部２１ａの正面側に設けられている。なお、図４及び図６が底面図であり、図５が底面側斜視図であるため、第２のベース片２０の正面側に位置するスナップボタン２３の引き出し線を破線で示している。
【００２７】
形状保持部材２４は、塑性変形可能で形状保持性を有する。形状保持部材２４は、例えば線状を呈し、ベース本体２１よりも剛性が高い。また、形状保持部材２４は、第２のベース片２０のうち第１のベース片１０と接する周縁に沿って配置され、この周縁の浮き上がりを防止する。なお、形状保持部材２４は、第２のベース片２０の周縁に沿って連続的に配置されているともいえる。ここで、形状保持部材２４は、塑性変形可能で形状保持性を有する部材であるが、浮き上がり防止部材としては、塑性変形可能でない線状の部材、形状保持性を有さない線状の部材などであってもよい。
【００２８】
なお、図７に示す第３のベース片４０及び第４のベース片５０も、第２のベース片２０と同様に、形状保持部材（例えばレース部材２２及び形状保持部材２４のうち少なくとも一方）を有することが望ましい。
【００２９】
図６に示すように、第１のベース片１０と第２のベース片２０とは、スナップボタン１３，２３によって着脱自在に連結される。なお、第１のベース片１０の周縁が第２のベース片２０の上側に位置するように連結されるため、レース部材１２は、第２のベース片２０の上側に位置する。
【００３０】
図１及び図２に示すように、かつら固定具３０は、ベース本体１１の周縁部１１ａの底面に配置されている。かつら固定具３０は、例えばかつら装着者の地毛を挟持することで、図８に示すかつら１００をかつら装着者の頭部に固定する。なお、図１及び図２では、かつら固定具３０を１つのみ図示するが、２つ以上配置されることが望ましい。
【００３１】
図８は、本実施の形態に係るかつら１００を示す背面図である。
かつら１００は、上述のかつらベース１と、このかつらベース１（第１のベース片１０及び第２のベース片２０）に植毛された毛髪１０１と、を備え、例えばかつら装着者の頭部のほぼ全体に亘って配置される。
【００３２】
毛髪１０１は、例えば人工毛髪であるが、加工人毛などの、人工毛髪以外の毛髪であってもよい。なお、図８において、毛髪１０１は、第１のベース片１０のベース本体１１及びレース本体１２ａ並びに第２のベース片２０のベース本体２１及びレース本体２２ａのそれぞれに植毛された２本のみ図示するが、実際には、レース部材１２，２２のレース支持部１２ｂ，２２ｂなどを含むかつらベース１の全体に亘って例えば密集するように植毛される。
【００３３】
以上説明した本実施の形態では、かつらベース１は、第１のベース片１０と、この第１のベース片１０と着脱自在に連結される第２のベース片２０とを備え、第１のベース片１０及び第２のベース片２０のうち少なくとも一方は、他方と接する周縁に配置され当該周縁の浮き上がりを防止するための浮き上がり防止部材の一例であるレース部材１２及び形状保持部材２４を有する。
【００３４】
よって、本実施の形態によれば、ベース片１０，２０のうち他のベース片２０，１０と接する周縁が浮き上がるのを防止することができる。これにより、第１のベース片１０及び第２のベース片２０の連結作業を容易にすることができる。更には、第１のベース片１０と第２のベース片２０との連結後に周縁が浮き上がるのを防止することができるため、第１のベース片１０と第２のベース片２０との連結部分の露出や、第１のベース片１０に植毛された毛髪１０１と第２のベース片２０に植毛された毛髪１０１との位置ズレなどによって、かつら１００の外観が損なわれるのを防ぐこともできる。
【００３５】
また、本実施の形態では、浮き上がり防止部材の１つの例が、第２のベース片２０のうち第１のベース片１０と接する周縁に沿って配置され塑性変形可能で形状保持性を有する形状保持部材２４である。これにより、第２のベース片２０の周縁の形状を保持することができるため、第２のベース片２０のうち第１のベース片１０と接する周縁が浮き上がるのをより一層防止することができる。
【００３６】
また、本実施の形態では、第２のベース片２０は、第１のベース片１０の少なくとも一部を挟み込むように配置され、形状保持部材２４は、第２のベース片２０に配置されている。そのため、例えばかつら装着者の頭部に装着された状態（固定状態）の第１のベース片１０に対して、後から第２のベース片２０を連結する際に第２のベース片２０のうちの第１のベース片１０と接する周縁の形状が安定することで、第１のベース片１０と第２のベース片２０との連結作業をより一層容易にすることができる。
【００３７】
また、本実施の形態では、浮き上がり防止部材の１つの例が、第１のベース片１０のうち第２のベース片２０と接する周縁に配置され周縁から凹凸形状に突出する帯状部材（レース部材１２）である。そのため、簡素な構成で、第１のベース片１０のうち第２のベース片２０と接する周縁が浮き上がるのを防止することができるとともに、第１のベース片１０と第２のベース片２０との連結部分を凹凸形状によって馴染ませることができ、かつら１００の外観が損なわれるのをより一層防ぐこともできる。
【００３８】
また、本実施の形態では、レース部材１２及び形状保持部材２４は、第１のベース片１０及び第２のベース片２０のうち他方と接する周縁に沿って連続的に配置されている。そのため、ベース片１０，２０のうち他のベース片２０，１０と接する周縁が浮き上がるのをより一層防止することができる。
【符号の説明】
【００３９】
１，２      かつらベース
１０      第１のベース片
１１      ベース本体
１１ａ      周縁部
１２      レース部材
１２ａ      レース本体
１２ｂ      レース支持部
１３      スナップボタン
１４      生え際部
２０      第２のベース片
２１      ベース本体
２１ａ      周縁部
２２      レース部材
２２ａ      レース本体
２２ｂ      レース支持部
２３      スナップボタン
２４      形状保持部材
３０      かつら固定具
４０      第３のベース片
５０      第４のベース片
１００      かつら
１０１      毛髪
【図１】
2018154933.tif 000003
【図２】
2018154933.tif 000004
【図３】
2018154933.tif 000005
【図４】
2018154933.tif 000006
【図５】
2018154933.tif 000007
【図６】
2018154933.tif 000008
【図７】
2018154933.tif 000009
【図８】
2018154933.tif 000010